(57)【要約】移動通信システムの放送サービスのための公開ロングコードマスクの生成方法及びシステムを提供する。基地局から移動端末に放送マルチキャスト（ＢＣＭＣ）サービスを提供する移動通信システムの移動端末がＢＣＭＣサービスを受信可能に公開ロングコードマスクを生成するシステムにおいて、各放送局から転送される放送番組を識別する放送番組識別子と、前記放送番組情報識別子にそれぞれマッチングされる放送情報区切子に関する情報を含む放送サービスパラメータメッセージをチャンネルを介して前記移動端末に転送する基地局と、前記基地局からの放送サービスパラメータメッセージから前記放送番組情報識別子とこれにマッチングされた１つの放送情報区切子を選択し、前記放送番組情報識別子と放送情報区切子を用いて前記セル内において固有の公開ロングコードマスクＰＬＣＭを生成する移動端末と、を含む。
2007515882.tif 000002
【特許請求の範囲】
【請求項１】
少なくとも１つの基地局から少なくとも１つの移動端末に放送サービスを提供する通信システムにおける放送サービスを提供する方法において、
放送番組を転送するチャンネルに関する情報と前記放送番組を指示する放送番組情報識別子及び放送情報区切子を含む放送サービスパラメータメッセージを転送するステップと、
前記放送番組情報識別子と前記放送情報区切子を用いてコードマスクを生成するステップと、
前記コードマスクを用い、前記チャンネルを介して前記放送番組を転送するステップと、を含む放送サービスの提供方法。
【請求項２】
前記コードマスクを生成するステップは、
前記コードマスクの最下位ビットを含む部分に前記放送情報区切子を配置するステップと、
前記放送情報区切子の次の部分に前記放送番組情報識別子を配置するステップと、を含む請求項１に記載の放送サービスの提供方法。
【請求項３】
前記コードマスクの残りの部分に所定のビットシーケンスを配置するステップをさらに含む請求項２に記載の放送サービスの提供方法。
【請求項４】
前記放送サービスパラメータメッセージは、複数の放送番組情報識別子及び複数の放送情報区切子をさらに含む請求項１に記載の放送サービスの提供方法。
【請求項５】
前記放送サービスパラメータメッセージから前記複数の放送番組情報識別子の値を基に１つの放送番組情報識別子を選択するステップをさらに含み、前記生成するステップにおいて、前記選択される放送番組情報識別子を用いる請求項４に記載の放送サービスの提供方法。
【請求項６】
前記放送サービスパラメータメッセージにおいて前記複数の放送番組情報識別子の順番を基に１つの放送番組情報識別子を選択するステップをさらに含み、前記生成するステップにおいて、前記選択される放送番組情報識別子を用いる請求項４に記載の放送サービスの提供方法。
【請求項７】
少なくとも１つの基地局から少なくとも１つの移動端末に放送サービスを提供する通信システムにおける放送サービスを受信する方法において、
放送番組を転送するチャンネルに関する情報と前記放送番組を指示する放送番組情報識別子及び放送情報区切子を含む放送サービスパラメータメッセージを受信するステップと、
前記放送番組情報識別子と前記放送情報区切子を用いてコードマスクを生成するステップと、
前記コードマスクを用い、前記チャンネルを介して前記放送番組を受信するステップと、を含む放送サービスの受信方法。
【請求項８】
前記コードマスクを生成するステップは、
前記コードマスクの最下位ビットを含む部分に前記放送情報区切子を配置するステップと、
前記放送情報区切子の次の部分に前記放送番組情報識別子を配置するステップと、を含む請求項７に記載の放送サービスの受信方法。
【請求項９】
前記コードマスクの残りの部分に所定のビットシーケンスを配置するステップをさらに含む請求項８に記載の放送サービスの受信方法。
【請求項１０】
前記放送サービスパラメータメッセージは、複数の放送番組情報識別子及び複数の放送情報区切子をさらに含む請求項７に記載の放送サービスの受信方法。
【請求項１１】
前記放送サービスパラメータメッセージにおいて前記複数の放送番組情報識別子の値を基に１つの放送番組情報識別子を選択するステップをさらに含み、前記生成するステップにおいて、前記選択される放送番組情報識別子を用いる請求項１０に記載の放送サービスの受信方法。
【請求項１２】
前記放送サービスパラメータメッセージにおいて前記複数の放送番組情報識別子の順番を基に１つの放送番組情報識別子を選択するステップをさらに含み、前記生成するステップにおいて、前記選択される放送番組情報識別子を用いる請求項１０に記載の放送サービスの提供方法。
【請求項１３】
少なくとも１つの基地局から少なくとも１つの移動端末に放送マルチキャスト（ＢＣＭＣ）サービスを提供するセルラー通信システムにおける前記放送マルチキャスト（ＢＣＭＣ）サービスを受信する移動端末が公開ロングコードマスク（ＰＬＣＭ）を生成する方法において、
少なくとも１つの放送番組情報識別子（ＢＣＭＣ＿ＦＬＯＷ＿ＩＤ）と少なくとも１つの放送情報区切子（ＢＳＲ＿ＩＤ）を含む放送サービスパラメータメッセージ（ＢＳＰＭ）を受信するステップと、
１つの放送番組情報識別子（ＢＣＭＣ＿ＦＬＯＷ＿ＩＤ）と放送情報区切子（ＢＳＲ＿ＩＤ）を選択するステップと、
前記放送番組情報識別子（ＢＣＭＣ＿ＦＬＯＷ＿ＩＤ）と放送情報区切子（ＢＳＲ＿ＩＤ）を用いて公開ロングコードマスク（ＰＬＣＭ）を生成するステップと、を含む公開ロングコードマスク（ＰＬＣＭ）の生成方法。
【請求項１４】
前記放送番組情報識別子（ＢＣＭＣ＿ＦＬＯＷ＿ＩＤ）は、前記放送サービスパラメータメッセージ（ＢＳＰＭ）において複数の放送番組情報識別子（ＢＣＭＣ＿ＦＬＯＷ＿ＩＤｓ）の順番を基に選択される請求項１３に記載の公開ロングコードマスク（ＰＬＣＭ）の生成方法。
【請求項１５】
前記放送番組情報識別子（ＢＣＭＣ＿ＦＬＯＷ＿ＩＤ）は、前記放送サービスパラメータメッセージ（ＢＳＰＭ）において第１の放送番組情報識別子（ＢＣＭＣ＿ＦＬＯＷ＿ＩＤ）を選択する請求項１４に記載の公開ロングコードマスク（ＰＬＣＭ）の生成方法。
【請求項１６】
前記放送番組情報識別子（ＢＣＭＣ＿ＦＬＯＷ＿ＩＤ）は、前記放送サービスパラメータメッセージ（ＢＳＰＭ）において複数の放送番組情報識別子（ＢＣＭＣ＿ＦＬＯＷ＿ＩＤｓ）の値を基に選択される請求項１３に記載の公開ロングコードマスク（ＰＬＣＭ）生成方法。
【請求項１７】
前記公開ロングコードマスク（ＰＬＣＭ）を生成するステップは、
前記公開ロングコードマスク（ＰＬＣＭ）の最下位ビットを含む部分に前記放送情報区切子（ＢＳＲ＿ＩＤ）を配置するステップと、
前記放送情報区切子（ＢＳＲ＿ＩＤ）の次の部分に前記放送番組情報識別子（ＢＣＭＣ＿ＦＬＯＷ＿ＩＤ）を配置するステップと、を含む請求項１３に記載の公開ロングコードマスク（ＰＬＣＭ）の生成方法。
【請求項１８】
前記コードマスクの残りの部分に所定のビットシーケンスを配置するステップをさらに含む請求項１７に記載の公開ロングコードマスク（ＰＬＣＭ）の生成方法。
【請求項１９】
基地局と前記基地局により占有されるセル内に位置付けられた少なくとも１つの移動端末を含み、前記基地局から前記移動端末に放送マルチキャスト（ＢＣＭＣ）サービスを提供する移動通信システムにおける前記移動端末が放送マルチキャスト（ＢＣＭＣ）サービスを受信可能に公開ロングコードマスク（ＰＬＣＭ）を生成するシステムにおいて、
各放送局から転送される放送番組をそれぞれ識別するための放送番組識別子を示す放送番組情報識別子（ＢＣＭＣ＿ＦＬＯＷ＿ＩＤｓ）と、前記放送番組情報識別子（ＢＣＭＣ＿ＦＬＯＷ＿ＩＤｓ）にそれぞれマッチングされる放送情報区切子（ＢＳＲ＿ＩＤｓ）に関する情報を含む放送サービスパラメータメッセージ（ＢＳＰＭ）を少なくとも１本のチャンネルを介して前記移動端末に転送する基地局と、
前記基地局から前記放送サービスパラメータメッセージ（ＢＳＰＭ）を受信し、前記放送サービスパラメータメッセージ（ＢＳＰＭ）から前記放送番組情報識別子（ＢＣＭＣ＿ＦＬＯＷ＿ＩＤｓ）のうち１つとこれにマッチングされた１つの放送情報区切子（ＢＳＲ＿ＩＤ）を選択し、前記選択される放送番組情報識別子（ＢＣＭＣ＿ＦＬＯＷ＿ＩＤ）とこれにマッチングされた前記放送情報区切子（ＢＳＲ＿ＩＤ）を用いて前記セル内において固有の公開ロングコードマスク（ＰＬＣＭ）を生成する移動端末と、を含むシステム。
【請求項２０】
前記１つの放送番組情報識別子（ＢＣＭＣ＿ＦＬＯＷ＿ＩＤ）は最大値または最小値を有し、前記基地局から受信された前記放送番組情報識別子（ＢＣＭＣ＿ＦＬＯＷ＿ＩＤｓ）から選択される請求項１９に記載のシステム。
【請求項２１】
前記放送サービスパラメータメッセージ（ＢＳＰＭ）に含まれる最上位または最下位の放送番組情報識別子（ＢＣＭＣ＿ＦＬＯＷ＿ＩＤ）が選択される請求項１９に記載のシステム。
【請求項２２】
前記放送サービスパラメータメッセージ（ＢＳＰＭ）は、ページングチャンネルを介して予め定められた周期をもって前記移動端末に転送される請求項１４に記載のシステム。
【発明の詳細な説明】
【技術分野】
【０００１】
本発明は移動通信システムにおける放送サービス方法及びシステムに係り、特に、放送サービスのためのチャンネルの情報を生成するための方法及びシステムに関する。
【背景技術】
【０００２】
現在、移動通信システムは、音声、データサービスを超えて放送サービスを支援するための標準化作業が行われている。移動端末が放送サービスを受信するためには、先ず、どのチャンネルを介してどの放送が転送されているかを知る必要がある。これらの放送関係の情報は、放送サービスメッセージ（ＢＣＭＣ Service Parameter Message（ＢＳＰＭ）またはIn-Traffic Service Parameter Message）を介して転送され、これらのメッセージは、現在セルにおいて放送されている放送番組（以下、Ｆｌｏｗと称する。）を受信するためのチャンネル情報、Ｆｌｏｗの情報、隣のセルのチャンネル情報などを含む。基地局は、放送サービスのための放送番組の情報（画像、音声またはデータなど）を指示する放送番組情報識別子（以下、ＢＣＭＣ＿ＦＬＯＷ＿ＩＤと称する。）により放送が受信できるかどうかを判断して、放送用の登録メッセージを転送する。ここで、ＢＣＭＣ＿ＦＬＯＷ＿ＩＤは、放送番組を指示する識別子として示されているが、通常、ＢＣＭＣＳマルチキャストインターネットプロトコル（ＩＰ）フロー識別子、すなわち、マルチキャストＩＰアドレスと対応する転送階層ポート番号の識別子として表すこともできる。そして、１放送番組当たりに複数のＢＣＭＣ＿ＦＬＯＷ＿ＩＤがマッピング可能である。すなわち、１つの番組の画像、音声またはデータなどにそれぞれＢＣＭＣ＿ＦＬＯＷ＿ＩＤがマッピング可能である。このようなＢＣＭＣ＿ＦＬＯＷ＿ＩＤについての内容は、放送関連の標準に示されており、通常の知識を持つ当業者にとって周知のものであるところに留意すべきである。
【０００３】
このようにＢＣＭＣ＿ＦＬＯＷ＿ＩＤが受信できるかどうかの判断を行う理由は、放送用のオーバーヘッドメッセージの他に、移動端末に放送可能の有無を報知可能な方法が存在しないためである。
【０００４】
従来のＣＤＭＡ移動通信システムにおいては、ユニキャストサービスの順方向トラフィックに対してユーザを区分し、データスクランブル効果を得るためにロングコード（Long Code：ＬＣ）を用いていた。このロングコードを用いる場合、ユーザに限られたレベルのセキュリティを提供することができ、ユーザのデータをスクランブルすることにより、多数のユーザが存在するときに起こる相互干渉を分散することができた。
【０００５】
通常汎用されている放送サービスのためのロングコードは、公開ロングコードであり、これは、公開ロングコードマスク（Public Long Code Mask；以下、ＰＬＣＭと称する。）により生成される。このＰＬＣＭは電気的なシリアル番号（Electronic Serial Number：ＥＳＮ）などの移動端末固有の情報を基に固有に生成されるため、ＰＬＣＭ間の相関を防ぐことができる。それゆえに、基地局から特定の移動端末に送信されたデータは、上記ＰＬＣＭを知っているユーザだけが逆スクランブルにより復元することができる。
【０００６】
しかしながら、現在論議されている放送システムにおいて、特定のユーザにのみ割り当てられる専用のチャンネルを用いると、同じ番組を同時に多くのチャンネルを介して転送する放送サービスの特性から、資源の無駄遣いを招くことになる。それゆえに、共有チャンネルを用いて放送番組を転送し、ユーザは、放送番組を転送する放送チャンネルを同じＰＬＣＭをもって逆スクランブルして受信する。すなわち、放送を受信する移動端末は、移動端末固有のＰＬＣＭの他に所望の放送チャンネルを逆スクランブルするために、該当チャンネルのＰＬＣＭを知っている必要がある。
【０００７】
現在、ＣＤＭＡ２０００ １ｘシステムにおいて論議されている放送サービスは、休止状態またはトラフィック状態において移動端末に提供可能である。上記トラフィック状態において、基地局は、拡張チャンネル割当てメッセージ（Extended Channel Assignment Message：ＥＣＡＭ）や拡張付加チャンネル割当てメッセージ（Extended Supplemental Channel Assignment Message：ＥＳＣＡＭ）、ユニバーシャルハンドオフ指示メッセージ（Universal Handoff Direction Message：ＵＨＤＭ）などを介して明示的に移動端末にＰＬＣＭを割り当てるようにしている。このとき、基地局は、上記メッセージ内のＡＤＤ＿ＰＬＣＭ＿ＦＯＲ＿ＦＣＨ＿３９フィールドやＡＤＤ＿ＰＬＣＭ＿ＦＯＲ＿ＳＣＨ＿３９フィールドを介してＰＬＣＭの生成に必要な３９ビットを移動端末に知らせる。
【０００８】
一方、論議中の放送サービスとしては、ＢＳＰＭにＰＬＣＭに関する情報を明示的に記述して移動端末に知らせる方法、及び既に受信された放送情報を基にＰＬＣＭを自動的に生成する方法の２種類の方法が挙げられる。
【０００９】
これらの方法のうち上記ＰＬＣＭ情報を知らせる方法は、トラフィック状態と同様に、ＡＤＤ＿ＰＬＣＭ＿ＦＯＲ＿ＦＣＨ＿３９またはＡＤＤ＿ＰＬＣＭ＿ＦＯＲ＿ＳＣＨ＿３９フィールドを放送サービスパラメータメッセージＢＳＰＭに含めてＰＬＣＭを生成する。
【００１０】
しかしながら、ＰＬＣＭのためにＢＳＰＭに各放送の物理チャンネル別にＡＤＤ＿ＰＬＣＭ＿ＦＯＲ＿ＦＣＨ＿３９またはＡＤＤ＿ＰＬＣＭ＿ＦＯＲ＿ＳＣＨ＿３９フィールドが含まれる必要があり、このＡＤＤ＿ＰＬＣＭ＿ＦＯＲ＿ＳＣＨ＿３９フィールドは、３９ビットの長さを持つ。ところが、これは、ＢＳＰＭにおいて支援可能な最大のチャンネル数が１２７本（２７−１）であることを考慮したとき、最大（１２７＊３９）ビットだけ増えるため、休止状態において放送を受信するとき、チャンネル別に異なるＰＬＣＭをＢＳＰＭに含めて送信する場合、ＢＳＰＭが過度に大きくなってしまう。
【００１１】
これらの方法のうち、ＰＬＣＭと直接的な関連性のない放送情報を用いて必要なＰＬＣＭを生成する方法は、ＢＣＭＣ＿ＦＬＯＷ＿ＩＤを用いてＰＬＣＭを生成するように論議されている。ＢＳＰＭは、放送を受信するために移動端末が必要とする現在転送可能なＢＣＭＣ＿ＦＬＯＷ＿ＩＤの一覧と物理チャンネル情報、隣の基地局に関する情報を含む。現在、ＢＣＭＣ＿ＦＬＯＷ＿ＩＤは、最大３２ビットまで割当て可能である。
【００１２】
以下、添付図面に基づき、上記割り当てられた値を用いてＰＬＣＭを生成する場合の一例を説明する。
【００１３】
図１は、通常の公開ロングコードマスクＰＬＣＭを構成するための移動通信システムの構造を示す図である。
【００１４】
図１は、セルＡの基地局２０からチャンネル１３１を介してＢＣＭＣ＿ＦＬＯＷ＿ＩＤ１、２、３６１、６２、６３がマルチプレックスされて転送され、同じセルのチャンネル２３２を介してＢＣＭＣ＿ＦＬＯＷ＿ＩＤ１６４が転送される状況を示している。実際に、１チャンネル内において、Ｆｌｏｗは、放送情報区切子（ＢＣＭＣ Service Reference Identifier；以下、ＢＳＲ＿ＩＤと称する。）により区切られ、移動端末１０は、上記Ｆｌｏｗに対してデマルチプレックスを行い、ＢＣＭＣ＿ＦＬＯＷ＿ＩＤとマッピングして上位階層にその結果を伝送する。ここで、上記ＢＳＲ＿ＩＤは、ＳＣＨまたはＰＤＣＨなどの１本の物理チャンネルを介して転送される論理的な複数のストリームを区切るために用いられる。すなわち、１ストリーム当たりに、これを処理する個体はサービスレファレンスインスタンスを含む。このようなＢＣＭＣ＿ＦＬＯＷ＿ＩＤについての詳細は、放送関連標準（Ｌ３ ｓｐｅｃ）に開示されており、通常の知識を有する当業者にとって周知であることに留意すべきである。
【００１５】
上記チャンネル３１、３２のＰＬＣＭ４１、４２は、ＢＣＭＣ＿ＦＬＯＷ＿ＩＤ部分に最大３２ビットまでＢＣＭＣ＿ＦＬＯＷ＿ＩＤ値を含むことができ、残りのビットは、ＰＬＣＭの用途に応じて設定可能である。そして、チャンネルの先端は、ロングコードが乗算される部分である。
【００１６】
図１に示すように、もし、各チャンネル３１、３２が支援する最小のＦｌｏｗ番号を用いてＰＬＣＭを生成する場合、両チャンネル３１、３２は共にＢＣＭＣ＿ＦＬＯＷ＿ＩＤ１を用いてＰＬＣＭを生成するため、両ＰＬＣＭ４１、４２は等しくなる。
【００１７】
このように、１つのＦｌｏｗが４以上のチャンネルを介して転送される場合、４以上のチャンネルが同じＰＬＣＭを選択することがある。ところが、相異なる両チャンネルが同じＰＬＣＭを用いると、チャンネル間の干渉の分散効果が落ちる結果、受信性能が低下する。
【００１８】
さらに、この方法は、ＢＣＭＣ＿ＦＬＯＷ＿ＩＤのみを用いてＰＬＣＭを生成する場合に簡単に生成可能であり、且つ、ＰＬＣＭを別途に管理しなくてもよくなる。しかし、通常、ＢＣＭＣＳシステムはパケット基盤のシステムであり、１本のチャンネルを介して１つのＦｌｏｗのみが放送されるわけではないため、多数のＦｌｏｗが多重化して転送可能である。よって、１チャンネルに多数のＦｌｏｗが転送される状況の下では使用することができない。
【発明の開示】
【発明が解決しようとする課題】
【００１９】
そこで、本発明の目的は、放送サービスパラメータメッセージに放送チャンネル別の公開ロングコードマスクＰＬＣＭを載せることなく、付加情報を用いて移動端末と基地局に該当チャンネル別に相異なる公開ロングコードマスクを自動的に生成させるための方法及びシステムを提供するところにある。
【００２０】
本発明の他の目的は、相異なるセルにおいて同じフローを転送するチャンネルに対して自動的に公開ロングコードマスクを生成して、端末にソフトコンバインを可能にする方法及びシステムを提供するところにある。
【課題を解決するための手段】
【００２１】
上記本発明の目的を達成するために、本発明による放送サービスの提供方法は、少なくとも１つの基地局から少なくとも１つの移動端末に放送サービスを提供する通信システムにおける放送サービスを提供する方法において、放送番組を転送するチャンネルに関する情報と上記放送番組を指示する放送番組情報識別子ＢＣＭＣ＿ＦＬＯＷ＿ＩＤ及び放送情報区切子ＢＳＲ＿ＩＤを含む放送サービスパラメータメッセージＢＳＰＭを転送するステップと、上記放送番組情報識別子ＢＣＭＣ＿ＦＬＯＷ＿ＩＤと上記放送情報区切子ＢＳＲ＿ＩＤを用いてコードマスクを生成するステップと、上記コードマスクを用い、上記チャンネルを介して上記放送番組を転送するステップと、を含むことを特徴とする。
【００２２】
上記本発明の目的を達成するために、本発明による放送サービスの受信方法は、少なくとも１つの基地局から少なくとも１つの移動端末に放送サービスを提供する通信システムにおける放送サービスを受信する方法において、放送番組を転送するチャンネルに関する情報と上記放送番組を指示する放送番組情報識別子ＢＣＭＣ＿ＦＬＯＷ＿ＩＤ及び放送情報区切子ＢＳＲ＿ＩＤを含む放送サービスパラメータメッセージＢＳＰＭを受信するステップと、上記放送番組情報識別子ＢＣＭＣ＿ＦＬＯＷ＿ＩＤと上記放送情報区切子ＢＳＲ＿ＩＤを用いてコードマスクを生成するステップと、上記コードマスクを用い、上記チャンネルを介して上記放送番組を受信するステップと、を含むことを特徴とする。
【００２３】
上記本発明の目的を達成するために、本発明による公開ロングコードマスクＰＬＣＭの生成方法は、少なくとも１つの基地局から少なくとも１つの移動端末に放送マルチキャストＢＣＭＣサービスを提供するセルラー通信システムにおける上記放送マルチキャストＢＣＭＣサービスを受信する移動端末が公開ロングコードマスクＰＬＣＭを生成する方法において、少なくとも１つの放送番組情報識別子ＢＣＭＣ＿ＦＬＯＷ＿ＩＤと少なくとも１つの放送情報区切子ＢＳＲ＿ＩＤを含む放送サービスパラメータメッセージＢＳＰＭを受信するステップと、１つの放送番組情報識別子ＢＣＭＣ＿ＦＬＯＷ＿ＩＤと放送情報区切子ＢＳＲ＿ＩＤを選択するステップと、上記放送番組情報識別子ＢＣＭＣ＿ＦＬＯＷ＿ＩＤと放送情報区切子ＢＳＲ＿ＩＤを用いて公開ロングコードマスクＰＬＣＭを生成するステップと、を含むことを特徴とする。
【００２４】
上記本発明の目的を達成するために、本発明によるシステムは、基地局と上記基地局により占有されるセル内に位置付けられた少なくとも１つの移動端末を含み、上記基地局から上記移動端末に放送マルチキャストＢＣＭＣサービスを提供する移動通信システムにおける上記移動端末が放送マルチキャストＢＣＭＣサービスを受信可能に公開ロングコードマスクＰＬＣＭを生成するシステムにおいて、各放送局から転送される放送番組をそれぞれ識別するための放送番組識別子を示す放送番組情報識別子ＢＣＭＣ＿ＦＬＯＷ＿ＩＤｓと、上記放送番組情報識別子ＢＣＭＣ＿ＦＬＯＷ＿ＩＤｓにそれぞれマッチングされる放送情報区切子ＢＳＲ＿ＩＤｓに関する情報を含む放送サービスパラメータメッセージＢＳＰＭを少なくとも１本のチャンネルを介して上記移動端末に転送する基地局と、上記基地局から上記放送サービスパラメータメッセージＢＳＰＭを受信し、上記放送サービスパラメータメッセージＢＳＰＭから上記放送番組情報識別子ＢＣＭＣ＿ＦＬＯＷ＿ＩＤｓのうち１つとこれにマッチングされた１つの放送情報区切子ＢＳＲ＿ＩＤを選択し、上記選択される放送番組情報識別子ＢＣＭＣ＿ＦＬＯＷ＿ＩＤとこれにマッチングされた上記放送情報区切子ＢＳＲ＿ＩＤを用いて上記セル内において固有の公開ロングコードマスクＰＬＣＭを生成する移動端末と、を含むことを特徴とする。
【発明の効果】
【００２５】
本発明は、１セル内において１つのＦｌｏｗが多数のチャンネルを介して転送される場合、各チャンネル内に転送されるＢＣＭＣ＿ＦＬＯＷ＿ＩＤとＢＳＲ＿ＩＤの対がセル内において固有になるように人為的に割り当ててチャンネル間にＰＬＣＭを重ならないようにできるので、チャンネル間の干渉を分散することができ、性能の向上に役立つという効果がある。
【００２６】
また、基地局が移動端末にＰＬＣＭを割り当てることなく、基地局と移動端末は所定の方法により既に持っている情報からＰＬＣＭを生成することから、無線資源を節減できるという効果がある。
【発明を実施するための最良の形態】
【００２７】
以下、添付した図面に基づき、本発明に係る好適な実施の形態を詳細に説明する。本発明を説明するに当たって、関連する公知の機能あるいは構成についての詳細な説明が本発明の要旨を余計に曖昧にすると認められる場合、その詳細な説明を省く。
【００２８】
後述する本発明の実施の形態においては、移動端末の放送受信の性能を高めるために、移動端末が自ら放送サービスパラメータメッセージ（ＢＣＭＣ Service Parameter Message；以下、ＢＳＰＭと称する。）の情報を用いて公開ロングコードマスク（Public Long Code Mask；以下、ＰＬＣＭと称する。）を取り出す。そして、本発明の実施の形態においては、付加情報のみを用いてＰＬＣＭを生成するために、ＢＳＰＭから伝送される放送番組識別子（以下、ＢＣＭＣ＿ＦＬＯＷ＿ＩＤと称する。）と、放送情報区切子（ＢＣＭＣ Service Reference Identifier；以下、ＢＳＲ＿ＩＤと称する。）を同時に用いる。上記ＢＳＲ＿ＩＤは、１本のチャンネルに転送される多数の放送番組（以下、Ｆｌｏｗと称する。）の情報を仕分けるための区切子である。ここで、基地局は、上記ＢＳＰＭを用い、全体の放送チャンネルに対してＰＬＣＭを生成するインデックスを割り当てる方法、ＢＳＣＭＳ＿ＦＬＯＷ＿ＩＤとＢＳＲ＿ＩＤを用いてＰＬＣＭを生成する方法、及びチャンネル別に前述した２種の方法を別々に適用可能な方法の内からいずれか１方法を選択して移動端末に指示することができる。すなわち、移動端末がＰＬＣＭを用いるための方法は、ＢＳＰＭに含まれているＦＣＳＣＨ＿ＰＬＣＭ＿ＳＣＨＥＭＥ＿ＩＤフィールド値により定められる。
【００２９】
以下、添付図面に基づき、ＰＬＣＭを生成するためのシステムの構造と、ＢＳＰＭ及びＰＬＣＭの構造を説明する。
【００３０】
図２は、本発明の第１の実施の形態による公開ロングコードマスクＰＬＣＭを構成するための移動通信システムの構造を示す図である。
【００３１】
現在、ＣＤＭＡ２０００ １ｘＢＣＭＣＳシステムにおけるＢＳＲ＿ＩＤは、１チャンネル内において多数のＦｌｏｗを仕分けるために用いられる。ＰＬＣＭを生成するための移動通信システムにおいて、基地局１２０は、各チャンネル１３１、１３２にＦｌｏｗに関する情報を載せてマルチプレックスした後、移動端末１１０に転送する。ここで、上記Ｆｌｏｗに関する情報は、各放送局の番組のそれぞれを識別する個別の番組識別子を示すＢＣＭＣ＿ＦＬＯＷ＿ＩＤと、これらにそれぞれマッチングされるＢＳＲ＿ＩＤに関する情報である。このため、基地局は、上記移動端末に、１つのＢＣＭＣ＿ＦＬＯＷ＿ＩＤとこれにマッチングされるＢＳＲ＿ＩＤを組み合わせた情報を報知することになる。そして、１チャンネルには少なくとも１以上のＢＣＭＣ＿ＦＬＯＷ＿ＩＤが転送可能である。なお、上記Ｆｌｏｗに関する情報は、上記放送サービスパラメータメッセージＢＳＰＭに含まれる。以下、図３に基づき、ＢＳＰＭの詳細について説明する。
【００３２】
移動端末１１０は、上記基地局１２０において１つのＢＣＭＣ＿ＦＬＯＷ＿ＩＤにそれぞれマッチングされるＢＳＲ＿ＩＤの対を用いてチャンネル１３１、１３２でマルチプレックスされて受信されたＦｌｏｗをＢＳＲ＿ＩＤをもって区別し、セルＡ内において、チャンネル間にＰＬＣＭを重ならないようにする。具体的には、移動端末１１０は、上記基地局１２０から放送サービスパラメータメッセージに含まれたＢＣＭＣ＿ＦＬＯＷ＿ＩＤにそれぞれマッチングされるＢＳＲ＿ＩＤの対のうち１つを選択した後、各ＢＳＲ＿ＩＤをＢＣＭＣ＿ＦＬＯＷ＿ＩＤとマッピングさせて上位階層に伝送する。ここで、ＢＳＲ＿ＩＤをＢＣＭＣ＿ＦＬＯＷ＿ＩＤとマッピングさせるのは、他の情報を付加したり新たにマッピングするわけではなく、ＢＣＭＣ＿ＦＬＯＷ＿ＩＤとＢＳＲ＿ＩＤが既に上記基地局から組み合わせ済みで受信された状態であるため、単なる確認過程であると言える。ここで、上記ＢＣＭＣ＿ＦＬＯＷ＿ＩＤとＢＳＲ＿ＩＤのマッピング情報は、ＢＳＰＭを介して基地局１２０から受け取る。
【００３３】
特定のチャンネルを介して受信されたデータは、ＢＳＲ＿ＩＤによってのみ区別可能である。このため、たとえ、１つのＦｌｏｗが多数のチャンネルを介して伝送されているとしても、ＢＳＲ＿ＩＤは相異なるように割当て可能であるため、ＢＣＭＣ＿ＦＬＯＷ＿ＩＤとＢＳＲ＿ＩＤの対は固有の値になり得ない。上記ＢＣＭＣ＿ＦＬＯＷ＿ＩＤとＢＳＲ＿ＩＤの対が１セル内において固有値になることは、ＰＬＣＭもそのセル内において固有であることを意味するため、１セル内において、相異なるチャンネルに同じＰＬＣＭが割り当てられる可能性は極めて低い。
【００３４】
以下、添付図面に基づき、上記ＰＬＣＭを生成するための情報を含むＢＳＰＭの構造について詳細に説明する。
【００３５】
図３は、本発明の実施の形態による放送サービスパラメータメッセージＢＳＰＭの構造を示す図である。ここで、｛｝は、レコードが括弧内のパラメータの回数分だけ繰り返されることを示し、通常、ページングチャンネルを介して予め定められた周期をもって移動端末に転送される。
【００３６】
図３を参照すると、ＢＳＰＭに含まれる第１のレコードの「ＮＵＭ＿ＦＳＣＨ」フィールドは、順方向の放送補助チャンネルＦＳＣＨの数を示し、「ＦＳＣＨ＿ＰＬＣＭ＿ＳＣＨＥＭＥ＿ＩＮＤ」フィールドは、順方向の放送補助チャンネルの公開ロングコードマスクＰＬＣＭの方法指示子を示す。ここで、各ＰＬＣＭ方法による指示ビットは、下記表１の通りである。ここで、上記順方向の放送補助チャンネルＦＳＣＨは、基地局から移動端末に実質的に放送データストリームを転送するチャンネルであり、通常、データストリームのヘッダ部にＢＳＲ＿ＩＤが含まれる。かかる順方向の放送補助チャンネルについては既に周知であるため、本発明の実施の形態においてはその具体的な説明を省く。
【００３７】
【表１】
2007515882.tif 000003
【００３８】
上記表１中、「ＦＳＣＨ＿ＰＬＣＭ＿ＳＣＨＥＭＥ＿ＩＮＤ」フィールドの指示値「００」は、「ＦＳＣＨ＿ＰＬＣＭ＿ＩＮＤＥＸ」フィールドを通じてインデックスを割り当てて上記インデックス値を基にＰＬＣＭを生成する方法を示す値であり、いずれのチャンネルF-SCHにも適用される。
【００３９】
「０１」は、ＢＣＭＣ＿ＦＬＯＷ＿ＩＤとＢＳＲ＿ＩＤの値を基に該当チャンネルのＰＬＣＭを生成する方法を示す値であり、いずれのチャンネルF-SCHにも適用される。
【００４０】
そして「１０」は、インデックスの割当て方法を用いるか、ＢＣＭＣ＿ＦＬＯＷ＿ＩＤとＢＳＲ＿ＩＤを用いた生成方法を用いるかを各チャンネルＦ−ＳＣＨ別に指定する方法を示し、「１１」は、予約された値を示す。
【００４１】
図３に戻り、第２のレコードに含まれる「ＦＳＣＨ＿ＰＬＣＭ＿ＩＮＤ」フィールドは、順方向の放送補助チャンネルＰＬＣＭの方法指示子であり、ＦＳＣＨ＿ＰＬＣＭ＿ＳＣＨＥＭＥ＿ＩＮＤが「１０」に設定される場合に含まれ、０または１ビットの長さを有する。ここで、ＰＬＣＭがインデックス割当て方法により生成される場合、「ＦＳＣＨ＿ＰＬＣＭ＿ＩＮＤ」フィールドは「１」に設定され、ＰＬＣＭがＢＣＭＣ＿ＦＬＯＷ＿ＩＤ、ＢＳＲ＿ＩＤを用いて生成される場合、「ＦＳＣＨ＿ＰＬＣＭ＿ＩＮＤ」フィールドは「０」に設定される。そして、第２のレコードに含まれる「ＦＳＣＨ＿ＰＬＣＭ＿ＩＮＤＥＸ」フィールドは、ＦＳＣＨ ＰＬＣＭ生成インデックスを示し、０または８ビットの長さを有する。ここで、もし、ＦＳＣＨ＿ＰＬＣＭ＿ＳＣＨＥＭＥ＿ＩＮＤが「００」であるか、あるいは、ＦＳＣＨ＿ＰＬＣＭ＿ＩＮＤが含まれて「１」に設定されている場合、基地局はこのフィールドを含み、他の値に設定されている場合には基地局はこのフィールドを省略する。そして、基地局は、上記フィールドに、ＦＳＣＨに用いられるＰＬＣＭを生成可能なインデックスを設定する。
【００４２】
上記第２のレコードは可変長のものであり、ＮＵＭ＿ＦＳＣＨの回数分だけ繰り返される。
【００４３】
第３のレコードに含まれる「ＢＣＭＣ＿ＦＬＯＷ＿ＩＤ」は、放送サービスＦＬＯＷの識別子であり、１６、２４または３２ビットの長さを有する。また、「ＮＵＭ＿ＬＰＭ＿ＥＮＴＲＩＥＳ」フィールドは論理及び物理パラメータのマッピングエントリの数であり、３ビットの長さを有する。
【００４４】
第４のレコードに含まれる「ＢＳＲ＿ＩＤ」フィールドは放送情報区切子であり、３または１６ビットの長さを有する。また、「ＮＵＭ＿ＮＧＨＢＲ」フィールドは隣の基地局の放送関連パラメータの数であり、０または６ビットの長さを有する。
【００４５】
第５のレコードに含まれる「ＮＧＨＢＲ＿ＦＳＣＨ＿ＰＬＣＭ＿ＩＮＤ」フィールドは、隣の順方向のＦＳＣＨ ＰＬＣＭの方法指示子であり、０または１ビットの長さを有する。もし、「ＮＧＨＢＥＲ＿ＦＳＣＨ＿ＰＡＲＭＳ＿ＩＮＣＬ」フィールドが含まれていない場合や、これが含まれて「０」に設定される場合、基地局は、上記「ＮＧＨＢＲ＿ＦＳＣＨ＿ＰＬＣＭ＿ＩＮＤ」フィールドを省略する。これに対し、そうでない場合、ＦＳＣＨがインデックス割当て方法により生成されると、上記「ＮＧＨＢＲ＿ＦＳＣＨ＿ＰＬＣＭ＿ＩＮＤ」フィールドは「１」に設定される。ＢＣＭＣ＿ＦＬＯＷ＿ＩＤと関連付けられたＢＳＲ＿ＩＤを用いてＰＬＣＭを生成すると、上記「ＮＧＨＢＲ＿ＦＳＣＨ＿ＰＬＣＭ＿ＩＮＤ」フィールドは「０」に設定される。
【００４６】
そして、第５のレコードに含まれる「ＮＧＨＢＲ＿ＦＳＣＨ＿ＰＬＣＭ＿ＩＮＤＥＸ」フィールドは、隣のＦＳＣＨ ＰＬＣＭを生成するためのインデックスであり、０または８ビットの長さを有する。ここで、もし、「ＮＧＨＢＥＲ＿ＦＳＣＨ＿ＰＬＣＭ＿ＩＮＤ」フィールドが含まれていない場合や、これが含まれて「０」に設定された場合、基地局は、上記「ＮＧＨＢＥＲ＿ＦＳＣＨ＿ＰＬＣＭ＿ＩＮＤ」フィールドを省略する。これに対し、そうでない場合、基地局は上記フィールドを含み、上記フィールドにＦＳＣＨに用いられるＰＬＣＭを生成可能なインデックス値を設定する。
【００４７】
上記第３のレコード以降は、可変長のレコードであり、「ＮＵＭ＿ＢＣＭＣ＿ＦＬＯＷＳ」フィールドの回数分だけ繰り返される。また、上記第４のレコード以降は可変長のレコードであり、「ＮＵＭ＿ＬＰＭ＿ＥＮＴＲＩＥＳ」フィールドの回数分だけ繰り返される。そして、上記第５のレコードは「ＮＵＭ＿ＮＧＨＢＲ」フィールドの回数分だけ繰り返される。
【００４８】
図４は、本発明の実施の形態による公開ロングコードマスクＰＬＣＭの構造を示す図である。
【００４９】
ＰＬＣＭは４２ビットの長さを有し、図４に示すように、最下位ビット（Least Significant Bit：ＬＳＢ）と近い方にＢＳＲ＿ＩＤを含め、その次のＦＬＯＷ＿ＩＤでパディングする。また、最上位ビット（Most Significant Bit：ＭＳＢ）の部分の残りのビットは、例えば、「１」でパディングする。ここで、図４に示すＰＬＣＭの構造は、図２に各チャンネル別の例が示してある。図２に示すように、ＢＳＲ＿ＩＤは「００１」で、ＦＬＯＷ＿ＩＤは「０．．．０１００」でパディングする。残りのビットは「１」でパディングされるが、ここでは、任意に設定してパディング可能であることに留意すべきである。ここで、ＦＬＯＷ＿ＩＤの長さとＢＳＲ＿ＩＤの長さを合計して４０ビットを超えない場合は、前述したようにＰＬＣＭを構成することができる。ＦＬＯＷ＿ＩＤが３２ビットであり、且つ、ＢＳＲ＿ＩＤが３ビットである場合、ＰＬＣＭのＭＳＢの方に７個の「１」が挿入される。これに対し、両値の和が４０ビットを超える場合、他の方法を用いる必要がある。以下、この場合におけるＰＬＣＭの生成を添付図面に基づいて説明する。
【００５０】
図５は、本発明の実施の形態による４２ビットの公開ロングコードマスクＰＬＣＭの生成を示す図である。
【００５１】
図５を参照すると、ＢＣＭＣ＿ＦＬＯＷ＿ＩＤとＢＳＲ＿ＩＤの長さの合計が４０ビット以上であるため、移動端末は、ＢＳＲ＿ＩＤの上位ビットとＢＣＭＣ＿ＦＬＯＷ＿ＩＤの下位ビットをそれぞれＸＯＲ１８０して４２ビットのＰＬＣＭを生成する。ここで、ＭＳＢの３ビットは、例えば、「１」に設定でき、上記値は他の任意の値でパディングできる。
【００５２】
以下、添付図面に基づき、このような移動通信システムにおいて、ＦＬＯＷ＿ＩＤとＢＳＲ＿ＩＤの対を固有に割り当ててＰＬＣＭを生成するための方法を説明する。先ず、上記ＰＬＣＭを構成するとき、移動端末１１０がＢＣＭＣ＿ＦＬＯＷ＿ＩＤを選択する方法について述べる。
【００５３】
移動端末１１０がＢＣＭＣ＿ＦＬＯＷ＿ＩＤを選択する方法には、チャンネルにおけるＦｌｏｗの構成形式により種々の方法がある。もし、１本のチャンネルを介して１つのＦｌｏｗのみが転送されると、ＢＣＭＣ＿ＦＬＯＷ＿ＩＤは、１チャンネル当たり１つしか存在しないため、問題にならない。１つのＦｌｏｗが多数のチャンネルを介して転送されるときにも、各チャンネルは１つのＢＣＭＣ＿ＦＬＯＷ＿ＩＤのみを有するため、問題にならない。しかしながら、１本のチャンネルが多数のＦｌｏｗを転送する場合には、複数のＢＣＭＣ＿ＦＬＯＷ＿ＩＤのうち一つを選択しなければならない。複数のＢＣＭＣ＿ＦＬＯＷ＿ＩＤまたはＢＣＭＣ＿ＦＬＯＷ＿ＩＤとＢＳＲ＿ＩＤの対を因子として受け取るとき、１つのＢＣＭＣ＿ＦＬＯＷ＿ＩＤまたはＢＣＭＣ＿ＦＬＯＷ＿ＩＤとＢＳＲ＿ＩＤの対を選択可能なアルゴリズムであれば、いかなるものであってもよく、ＢＳＲ＿ＩＤは、選択されるＢＣＭＣ＿ＦＬＯＷ＿ＩＤに相当する値を選択する。
【００５４】
前述したような選択アルゴリズムのうち、例えば、ユーザが受信したいＦｌｏｗが転送されるチャンネルに複数のＦｌｏｗが転送されているとき、移動端末１１０は、上記Ｆｌｏｗのうち最小のＢＣＭＣ＿ＦＬＯＷ＿ＩＤ値または最大のＢＣＭＣ＿ＦＬＯＷ＿ＩＤ値を持つＦｌｏｗを選択する方法がありうる。上記ＢＣＭＣ＿ＦＬＯＷ＿ＩＤの長さが相異なるとき、最も長いＢＣＭＣ＿ＦＬＯＷ＿ＩＤの長さを基準として長さの短いＢＣＭＣ＿ＦＬＯＷ＿ＩＤの上位ビットを「０」にパディングしてＢＣＭＣ＿ＦＬＯＷ＿ＩＤの長さを整えた後、ＢＣＭＣ＿ＦＬＯＷ＿ＩＤ値の大小を比較する。
【００５５】
前述したような選択アルゴリズムのうち他の例として、ＢＳＰＭの構造を基に特定のＦｌｏｗを選択するものがある。現在、ＢＳＰＭには、どのＦｌｏｗがどのチャンネルに転送されるかに関するマッピング情報が存在する。以下、添付図面に基づき、上記ＢＳＰＭにＦｌｏｗ情報とチャンネル情報がいかに構成されるかを簡単に説明する。
【００５６】
ＢＳＰＭにＦｌｏｗが転送されるチャンネルの一覧は、図６Ａに示すように、例えば、Ｆｌｏｗ（Ａ）はチャンネルＡ，．．．，Ｍの一覧が構成されることを表すことができる。そして、図６Ａに示すＢＳＰＭにＦｌｏｗが転送されるチャンネルの一覧は、逆に、図６Ｂに示すように、特定のチャンネルにどのＦｌｏｗが転送されているかを表すことができる。ここで、特定のチャンネルにＰＬＣＭを生成するために、１つのＢＣＭＣ＿ＦＬＯＷ＿ＩＤを選択する必要があるが、このとき、特定の順番に記述されるＦｌｏｗのＢＣＭＣ＿ＦＬＯＷ＿ＩＤを選択する。上記ＢＣＭＣ＿ＦＬＯＷ＿ＩＤ選択の１方法として、最上位または最下位に登場するＦｌｏｗＩＤを選択する方法がある。上記図６Ａにおいて、例えば、最上位に記述するＦｌｏｗを選択すると、ＦｌｏｗＡのＢＣＭＣ＿ＦＬＯＷ＿ＩＤが選択される。
【００５７】
このようなＰＬＣＭの生成方法を上記の図１に適用し、セルＡ内において、セル内の全ての移動端末１１０により共有される相異なる両チャンネル１３１、１３２を介してそれぞれＦｌｏｗ２１６１、Ｆｌｏｗ３１６２、Ｆｌｏｗ４１６３と、Ｆｌｏｗ４１６４、Ｆｌｏｗ１１６５が転送される動作を説明すると、下記の通りである。
【００５８】
Ｆｌｏｗを転送するに当たり、各チャンネル１３１、１３２を介してそれぞれのＦｌｏｗがマルチプレックスされて転送され、基地局１２０は、ＢＳＰＭにＢＣＭＣ＿ＦＬＯＷ＿ＩＤ及びＢＳＲ＿ＩＤの情報を載せて移動端末１１０に転送する。すると、移動端末１１０は、上記ＰＬＣＭの選択方法により各チャンネル１３１、１３２別に選択されるＰＬＣＭのキー値に上位ビット部分の「１１１１」を結び付けてそれぞれＰＬＣＭを生成する。その後、移動端末１１０は、各チャンネル別１３１、１３２にＢＳＲ＿ＩＤ１５１、１５２、１５３とＢＣＭＣ＿ＦＬＯＷ＿ＩＤ１６１、１６２、１６３をマッピングして、該当ＢＣＭＣ＿ＦＬＯＷ＿ＩＤに相当するＦＬＯＷを上位階層に転送する。
【００５９】
図２に示すように、Ｆｌｏｗ４１６３、１６４は両チャンネルを介して転送が行われるが、各チャンネルにおいてＢＳＲ＿ＩＤがＢＳＲ＿ＩＤ１１５１とＢＳＲ＿ＩＤ４１５４と相異なる値に設定されるため、ＢＣＭＣ＿ＦＬＯＷ＿ＩＤ及びＢＳＲ＿ＩＤの対は相異なる値を持つことになる。すなわち、図２における下段の表はＰＬＣＭ１４１，１４２が相異なることを示す実施例であり、チャンネル１Channel1 in cell Ａ１３１に関するＢＣＭＣ＿ＦＬＯＷ＿ＩＤとチャンネル２Channel2 in cell Ａ１３２に関するＢＣＭＣ＿ＦＬＯＷ＿ＩＤは両方ともＦＬＯＷ＿ＩＤ４０．．．０１００と同じである。ところが、ＢＳＲ＿ＩＤは、チャンネル１１３１の場合にＢＳＲ＿ＩＤ１００１であり、チャンネル２１３２の場合にはＢＳＲ＿ＩＤ４１００であるため、相異なることが分かる。
【００６０】
もし、チャンネル内において最大値を持つＦｌｏｗを選択する場合にも、該当ＦＬＯＷ＿ＩＤ、ＢＳＲ＿ＩＤをＰＬＣＭを生成する上で用いると、ＦＬＯＷ＿ＩＤが同じであるが、ＢＳＲ＿ＩＤが相異なるため、両チャンネルのＰＬＣＭが互いに重ならなくなる。
【００６１】
一方、前述した本発明の第１の実施の形態においては、１セルＡ内の基地局において相異なるチャンネルを介してＦｌｏｗを受信してＰＬＣＭを生成する動作を説明したが、本発明の第２の実施の形態においては、セルＡ、Ｂにおいて同じＦｌｏｗを伝送して同じＰＬＣＭ値を持つチャンネルを受信する場合におけるＰＬＣＭの生成動作を説明する。
【００６２】
相異なるセルであるとしても、同じＦｌｏｗを転送するチャンネルに同じＰＬＣＭを自動的に生成させられるため、移動端末にとっては、ソフトコンバインを行うことが可能である。以下、このようなソフトコンバインの動作を添付図面に基づいて説明する。
【００６３】
図７は、本発明の第２の実施の形態により同じ放送情報を伝送するチャンネルを同時に受信してソフトコンバインを行う動作を示す図である。
【００６４】
基地局１２０ａ、１２０ｂは、各セルＡ、Ｂにおいて同じＦｌｏｗを伝送して同じＰＬＣＭ値を持つチャンネルを同時に移動端末１１０に送信する。これにより、基地局１２０からＢＣＭＣ＿ＦＬＯＷ＿ＩＤ４２６３を受信する移動端末１１０は、ソフトハンドオーバー領域においてセルＡ、Ｂの各チャンネル２３１、２３２の信号を受信してソフトコンバインを行う。すなわち、実際にチャンネル２３１、２３２の信号を受け取った後、両信号のエネルギーを統合する。
【００６５】
しかる後、移動端末１１０は、統合された信号をチャンネルの先端部分においてロングコードをもって逆スクランブルした後、ＢＳＲ＿ＩＤをもって逆マルチプレックスしてＦｌｏｗＩＤにマッピングさせ、マッピングされた信号を上位階層に伝送する。
【００６６】
このようなソフトコンバイン動作に当たり、ソフトハンドオーバー領域にある移動端末１１０は、両基地局１２０ａ、１２０ｂから送られる信号をすべて受け取ることになる。ところが、同じ情報を転送している両チャンネル２３１、２３２から信号を受信してこれらをコンバインした後、逆スクランブルするには、必ず両チャンネルが同じＰＬＣＭでスクランブルされていなければならない。このため、付加的にソフトハンドオーバーグループに属する全てのセル内において同じ情報を伝送するチャンネル２３１、２３２のＢＣＭＣ＿ＦＬＯＷ＿ＩＤ、ＢＳＲ＿ＩＤ値が互いに同じであれば、各セルのチャンネル２３１、２３２はいずれも同じＰＬＣＭ値を持つことになる。すなわち、図６における下段の表は、チャンネル２３１、２３２が同じであるＰＬＣＭを示す実施例であり、チャンネル１Channel1 in cell Ａ２３１に対するＦＬＯＷ＿ＩＤとチャンネル２Channel2 in cell Ａ２３２に対するＢＣＭＣ＿ＦＬＯＷ＿ＩＤは両方ともＢＣＭＣ＿ＦＬＯＷ＿ＩＤ４（０，．．．，０１００）と同じであり、チャンネル１２３１とチャンネル２２３２のＢＳＲ＿ＩＤも両方ともＢＳＲ＿ＩＤ１００１と同じであることが分かる。
【００６７】
この場合、移動端末１１０は、ソフトハンドオーバー領域において同じＦｌｏｗを転送するチャンネル信号を相異なる基地局１２０ａ、１２０ｂから受け取ってソフトコンバインを行うことができる。このような動作は、結果として、受信性能を高める上で役立ち、これを用いたソフトハンドオーバーも可能になる。ここで、上記ソフトコンバインのためには、先ず、移動端末に受信される両基地局の信号が同じである必要がある。ここで、同じであるとは、ウォルシュコードで逆拡散を行ってからの情報が同じであることを意味する。上記ウォルシュコードで逆拡散を行った後、両信号のエネルギーを統合して１つのロングコードで逆スクランブルを行うため、両チャンネルはやはり同じＰＬＣＭを用いてスクランブルされる必要がある。
【００６８】
このため、本発明の実施の形態においては、基地局の割込無しに、同じ情報を伝送するチャンネル内においてＦｌｏｗは定まったルールによりＢＳＲ＿ＩＤが割り当てられるため、たとえ、セルが異なるとしても、同じＰＬＣＭを用いることになり、ソフトコンバインを行うことが可能になることが分かる。
【００６９】
一方、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００７０】
【図１】通常の公開ロングコードマスクＰＬＣＭを構成するための移動通信システムの構造を示す図である。
【図２】本発明の第１の実施の形態による公開ロングコードマスクＰＬＣＭを構成するための移動通信システムの構造を示す図である。
【図３】本発明の実施の形態による放送サービスパラメータメッセージＢＳＰＭの構造を示す図である。
【図４】本発明の実施の形態による公開ロングコードマスクＰＬＣＭの構造を示す図である。
【図５】本発明の実施の形態による４２ビットの公開ロングコードマスクＰＬＣＭの生成を示す図である。
【図６Ａ】本発明の実施の形態によるＢＳＰＭのＦｌｏｗ情報とチャンネル情報の構成を示す図である。
【図６Ｂ】本発明の実施の形態によるＢＳＰＭのＦｌｏｗ情報とチャンネル情報の構成を示す図である。
【図７】本発明の第２の実施の形態により同じ放送情報を伝送するチャンネルを同時に受信してソフトコンバインする動作を示す図である。
【符号の説明】
【００７１】
１１０：移動端末
１２０：基地局
１３１、１３２：チャンネル
１４１、１４２：ＰＬＣＭ
１５１、１５２、１５３、１５４、１５５：ＢＳＲ＿ＩＤ 
１６１、１６２、１６３、１６４、１６５：ＢＣＭＣ＿ＦＬＯＷ＿ＩＤ
１７１、１７２：マッピング
【図１】
2007515882.tif 000004
【図２】
2007515882.tif 000005
【図３】
2007515882.tif 000006
【図４】
2007515882.tif 000007
【図５】
2007515882.tif 000008
【図６Ａ】
2007515882.tif 000009
【図６Ｂ】
2007515882.tif 000010
【図７】
2007515882.tif 000011
【国際調査報告】
2007515882.tif 000012
2007515882.tif 000013